(57)【特許請求の範囲】
【請求項１】
箱体(12)の内部に送風機(24)とヒータ(26)とを備え、該ヒータ(26)に当接するよう配設されると共に放熱部(32a)が形成された伝熱板(32)に、該ヒータ(26)の通電制御を行なう制御手段(28)の感温部(28a)を配設し、該送風機(24)の運転によりヒータ(26)と熱交換して加熱した空気を強制循環することで、内部に収納した食器を加熱するようにした熱風式保管庫において、
前記ヒータ(26)の通電制御を行なう前記ヒータ用の制御手段(28)は、前記感温部(28a)で設定温度を検出した際にヒータ(26)ヘの通電を遮断する手動復帰接点(TH1)を備え、
前記ヒータ(26)から離間する位置に、前記送風機(24)の通電制御を行なう送風機用の制御手段(42)の感温部(42a)を配設し、
前記送風機用の制御手段(42)は、前記ヒータ用の制御手段(28)の設定温度より低く設定された設定温度を対応する感温部(42a)が検出した際に送風機(24)への通電を遮断する自動復帰接点(TH2)を備えている
ことを特徴とする熱風式保管庫。
【請求項２】
前記伝熱板(32)に当接するよう配設した取付具(34)に、前記ヒータ用の制御手段(28)の感温部(28a)を覆うように保持する保持部(34b)を形成し、この保持部(34b)を介して該感温部(28a)を伝熱板(32)に当接するよう配設した請求項１記載の熱風式保管庫。
【請求項３】
前記ヒータ用の制御手段(28)の感温部(28a)は、前記伝熱板(32)を挟んでヒータ(26)と対向する位置から離間する位置に配置されている請求項１または２記載の熱風式保管庫。
【発明の詳細な説明】
【０００１】
【発明の属する技術分野】
この発明は熱風式保管庫に関し、更に詳細には、断熱箱体内に所要の空間を介在させて配設した収納部内に熱風を強制循環させて、該収納部内に収納した食器を加熱して消毒・乾燥等を行なう熱風式保管庫に関するものである。
【０００２】
【従来の技術】
食器に熱風を当てて加熱することで消毒・乾燥する熱風式保管庫は、断熱箱体の内部に、所要の空間を介して収納部を備え、該収納部内に多段で配設した棚に、食器を収容したカゴが載置されるようになっている。前記空間は、収納部の天板上部に画成される上部空間と、収納部の幅方向に対向する両側板外部に画成される側部空間および両側部空間の下端に形成された吹出口を介して連通する底部空間とで構成される。前記天板には、上部空間と連通する吸込口が形成されている。また上部空間には、送風機およびヒータが配設してある。
【０００３】
前記熱風式保管庫では、前記送風機を運転することで、吸込口を介して上部空間に吸込んだ収納部内空気をヒータと熱交換して加熱した後、得られた熱風を両側部空間に流下させる。そして、各側部空間の吹出口から底部空間に吹出した熱風を、収納部内に導入して上昇させ、前記吸込口から上部空間に戻すよう強制循環することで、収納部内に収納されている食器を加熱して消毒・乾燥するよう構成される。
【０００４】
【発明が解決しようとする課題】
前記送風機が何らかの原因で停止し、ヒータが空焚状態になったときの保護のために、従来の熱風式保管庫では、ガス式サーモスタットをヒータに直接配設して該ヒータの表面温度を検出したり、該サーモスタットをヒータの近傍に配設して該ヒータ付近の空気温度を検出し、その温度が設定温度に達したときにサーモスタットを作動してヒータへの通電を遮断していた。ヒータに直接サーモスタットを配設した場合、通常運転中に熱風式保管庫の運転スイッチをＯＦＦしたとき、送風機が停止するためにヒータの表面温度が一時的に上昇してサーモスタットが作動してしまう可能性があった。また、ヒータの表面温度は通常運転中は高温になるので、その温度でもサーモスタットが作動しないようにするには、該サーモスタットの設定温度をかなり高くしなければならない。従って、ヒータの空焚時、あるいは制御基板や庫内温度検知用サーミスタ等が故障して送風機とヒータとが連続通電状態となった場合、庫内が高く設定したサーモスタットの設定温度まで上昇してしまい、食器を劣化させるおそれがある。更に、通常運転中におけるヒータの表面温度より高い設度温度を設定し得るサーモスタットは、高価でコストが嵩む難点も指摘される。
【０００５】
次に、ヒータの近傍にサーモスタットを配設した場合、送風機が停止していると、庫内空気とサーモスタット内のガスとでの熱交換が行なわれ難く、庫内がサーモスタットの温度設定よりもかなり高くなってから該サーモスタットが作動してヒータへの通電を遮断していた。従って、通電が遮断されるまでに、ヒータの表面温度がかなり高くなっていた。そこで、サーモスタットの設定温度を低く設定すれば、空焚時におけるヒータの表面温度が低いときに通電を遮断し得るが、通常運転中に運転スイッチをＯＦＦしたとき、送風機が停止することでヒータ付近の空気温度が一時的に上昇するので、このときにサーモスタットが作動してしまう難点がある。
【０００６】
【発明の目的】
本発明は、前述した従来の技術に内在している前記課題に鑑み、これを好適に解決するべく提案されたものであって、通常運転中にヒータへの通電が遮断されるのを防止すると共に、ヒータが空焚状態となったときにも該ヒータの過度の温度上昇を抑制することができ、更には庫内温度の制御系に故障が発生した場合にも庫内が異常温度とならないようにし得る熱風式保管庫を提供することを目的とする。
【０００７】
【課題を解決するための手段】
前記課題を克服し、所期の目的を好適に達成するため本発明は、
箱体の内部に送風機とヒータとを備え、該ヒータに当接するよう配設されると共に放熱部が形成された伝熱板に、該ヒータの通電制御を行なう制御手段の感温部を配設し、該送風機の運転によりヒータと熱交換して加熱した空気を強制循環することで、内部に収納した食器を加熱するようにした熱風式保管庫において、
前記ヒータの通電制御を行なう前記ヒータ用の制御手段は、前記感温部で設定温度を検出した際にヒータヘの通電を遮断する手動復帰接点を備え、
前記ヒータから離間する位置に、前記送風機の通電制御を行なう送風機用の制御手段の感温部を配設し、
前記送風機用の制御手段は、前記ヒータ用の制御手段の設定温度より低く設定された設定温度を対応する感温部が検出した際に送風機への通電を遮断する自動復帰接点を備えていることを特徴とする。
【０００８】
【発明の実施の形態】
次に、本発明に係る熱風式保管庫につき、好適な実施例を挙げて、添付図面を参照しながら以下説明する。
【０００９】
【第１実施例】
図１は、第１実施例に係る熱風式保管庫におけるサーモスタットの配設部位を示す概略図であり、図２は、第１実施例に係る熱風式保管庫の概略構成図である。第１実施例に係る熱風式保管庫１０は、外装と内装との間にグラスウールを充填した断熱構造の断熱箱体(箱体)１２の内部に、その内壁と所要の空間１４を保持して収納部１６が配設されている。この収納部１６は、その天板１８の中央部に吸込口１８ａが形成してある。また収納部１６の内部には、複数の棚が上下に所定間隔離間して多段的に配置され、各棚に、食器を収容したカゴ(何れも図示せず)が載置されるようになっている。
【００１０】
前記空間１４は、収納部１６の天板上部に画成される上部空間１４ａと、収納部１６の幅方向に対向する両側板２０,２０の外部に画成されて上部空間１４ａと連通する側部空間１４ｂ,１４ｂおよび断熱箱体１２内に画成されて収納部１６の下方に臨む底部空間１４ｃとで構成され、該底部空間１４ｃは両側部空間１４ｂ,１４ｂの下端に形成された吹出口２２,２２を介して連通している。また収納部１６は、上部空間１４ａに前記吸込口１８ａを介して連通すると共に、底部空間１４ｃに連通し、更に両側板２０,２０に形成された上下に離間する複数の吹出孔２０ａを介して両側部空間１４ｂ,１４ｂに連通する。
【００１１】
前記上部空間１４ａに送風機２４が配設されると共に、該上部空間１４ａには、送風機２４に近接してヒータ２６が配置してある。前記送風機２４は、収納部１６の吸込口１８ａから収納部内空気を上部空間１４ａに吸込み、該空気をヒータ２６に向けて送風するよう設定されている。従って、送風機２４を運転することにより、収納部１６側から吸引した空気は、ヒータ２６に接触して加熱されて熱風とされた後、前記両側部空間１４ｂ,１４ｂに流れ込むようになっている。そしてこの熱風が、前記両側板２０,２０の各吹出孔２０ａ,２０ａおよび前記吹出口２２,２２から収納部１６内に吹込まれ、収納されている食器を加熱するよう構成される。なお、送風機２４およびヒータ２６への通電は、図示しない制御装置に設けられた運転スイッチのＯＮ−ＯＦＦにより制御される。
【００１２】
前記ヒータ２６の適宜位置には、図１および図３に示す如く、該ヒータ２６の通電制御を行なうヒータ用の制御手段としてのガス式サーモスタット２８(以下、ヒータ用のサーモスタットと称す)の感温部２８ａが配設されている。すなわち、ヒータ２６に第１挟持部材３０のＵ字部３０ａが嵌合され、このＵ字部３０ａの開放端から左右に延出するフランジ部３０ｂ,３０ｂに当接する状態で、平板状の伝熱板３２がヒータ２６に当接するよう配設される。また、伝熱板３２を挟んで第１挟持部材３０における一方のフランジ部３０ｂと対向する位置に、サーモ取付具(取付具)３４のフランジ部３４ａが位置決めされている。更に、サーモ取付具３４のフランジ部３４ａを伝熱板３２との間で挟持する状態で平板状の第２挟持部材３６が配設され、該第２挟持部材３６と前記第１挟持部材３０の両フランジ部３０ｂ,３０ｂとが複数のネジ３８を介して固定されるようになっている。なお、前記ヒータ用のサーモスタット２８は、感温部２８ａが予め設定された設定温度を検出した際に、ヒータ２６への通電を遮断して該ヒータ２６の空焚時等における温度の過昇を防止するよう構成される。
【００１３】
前記サーモ取付具３４には、フランジ部３４ａにおけるヒータ２６の配設位置から離間する側に、伝熱板側に開放する円弧状の保持部３４ｂが連設され、該保持部３４ｂに、前記ヒータ用のサーモスタット２８の感温部２８ａが嵌合保持されている。そしてこの状態で、感温部２８ａは前記伝熱板３２に接触すると共に、該伝熱板３２は前記ヒータ２６に接触しており、ヒータ２６の熱が伝熱板３２を介してサーモ取付具３４および感温部２８ａに伝達されるようになっている。またサーモ取付具３４の保持部３４ｂは、図３に示す如く、感温部２８ａの略全体を覆うよう設定されており、該取付具３４を介してヒータ２６の熱が感温部２８ａに効率的に伝えられる。なお、第１および第２挟持部材３０,３６は、アルミニウムを材料として形成され、伝熱板３２およびサーモ取付具３４は、ステンレスを材料として形成される。
【００１４】
前記伝熱板３２は、図３に示す如く、前記サーモ取付具３４の配設位置を挟んでヒータ２６とは反対側に延出する部位に、表面積を大きく設定した放熱部３２ａが形成されている。また前記ヒータ用のサーモスタット２８の感温部２８ａは、伝熱板３２を挟んでヒータ２６と対向する位置から少し離れた位置に配置され、ヒータ２６からの熱により直接加熱されないよう設定してある。そして、伝熱板３２の放熱部３２ａおよび感温部２８ａの配設位置によって、ヒータ用のサーモスタット２８の設定温度を、通常運転中における運転スイッチのＯＦＦ時に生ずるヒータ２６の一時的な温度上昇による誤検出を行なうことなく、空焚時のヒータ２６の過昇を最小限に抑制し得る値に設定し得るようになっている。
【００１５】
【第１実施例の作用】
前述のように構成した第１実施例に係る熱風式保管庫１０によれば、該保管庫１０の運転スイッチをＯＮすると、前記送風機２４の運転が開始されると共にヒータ２６への通電が開始され、前記収納部１６内の空気は、送風機２４により吸込口１８ａを介して上部空間１４ａに吸引されて前記ヒータ２６に向けて送風され、ここで熱交換により加熱されて熱風とされた後に、前記両側部空間１４ｂ,１４ｂに流れ込む。各側部空間１４ｂに流れ込んだ熱風は、図２に示す如く、前記各側板２０に形成した吹出孔２０ａおよび吹出口２２から収納部内に吹出され、収納されている食器を加熱する。
【００１６】
ここで、何らかの原因によって前記送風機２４が停止すると、ヒータ２６が空焚状態となる。この場合に、第１実施例の熱風式保管庫１０では、前記ヒータ２６に接触する伝熱板３２および該伝熱板３２に接触するサーモ取付具３４を介してヒータ２６の通電制御を行なうヒータ用のサーモスタット２８の感温部２８ａにヒータ２６の熱が伝えられる。そして、該サーモスタット２８の感温部２８ａが、予め設定されている設定温度を検出すると、ヒータ２６への通電を遮断する。この場合に、図１に示すように、ヒータ用のサーモスタット２８の感温部２８ａは、前記伝熱板３２を挟んでヒータ２６と対向する位置から離間する位置に配置されて、ヒータ２６からの熱で直接加熱されることはない。従って、ヒータ用のサーモスタット２８の設定温度を、熱風式保管庫１０の通常運転中において高温となるヒータ２６の表面温度より低く設定することができる。これにより、コストの低いサーモスタットを用いることが可能となり、装置全体のコストを低減し得る。
【００１７】
また、前記熱風式保管庫１０の通常運転中に運転スイッチをＯＦＦした場合、前記送風機２４が停止することでヒータ２６の表面温度は一時的に上昇する。この場合に、前記ヒータ用のサーモスタット２８の感温部２８ａにヒータ２６の熱を伝える伝熱板３２に放熱部３２ａを形成してあるので、ヒータ２６の熱は放熱部３２ａにより効率的に放熱され、設定温度を低く設定した該サーモスタット２８が設定温度を検出する、誤検出が発生するのは防止される。
【００１８】
すなわち、前記伝熱板３２に放熱部３２ａを形成したことでヒータ用のサーモスタット２８の設定温度を、通常運転中における運転スイッチのＯＦＦ時に生ずるヒータ２６の一時的な温度上昇により該サーモスタット２８が誤検出することなく、空焚時のヒータ２６の過昇を最小限に抑制し得る温度とすることができる。またサーモ取付具３４の伝熱板３２と第２挟持部材３６とで挟持されるフランジ部３４ａをヒータ２６に近接すると共に、前記保持部３４ｂによりヒータ用のサーモスタット２８の感温部２８ａの略全体を覆うよう構成したので、空焚時においてはヒータ２６の熱を感温部２８ａに早く伝えることができ、ヒータ２６の表面温度の過度の上昇を抑制することができる。なお、サーモ取付具３４のフランジ部３４ａは、第１挟持部材３０と第２挟持部材３６とで確実に挟持されて伝熱板３２に当接しているから、ヒータ２６からの熱は伝熱板３２からサーモ取付具３４に確実に伝達される。
【００１９】
【第２実施例】
図４は、第２実施例に係る熱風式保管庫を示すものであって、その基本構造は第１実施例と同じであるので、異なる部分についてのみ説明する。第２実施例に係る熱風式保管庫４０では、前記一対の挟持部材３０,３６、伝熱板３２およびサーモ取付具３４を介してヒータ２６に配設したヒータ用のサーモスタット２８の感温部２８ａとは別に、前記送風機２４の通電制御を行なう送風機用の制御手段としてのサーモスタット(以下、送風機用のサーモスタットと称す)４２の感温部４２ａが、ヒータ２６から離間する前記側部空間１４ｂに配設されている。
【００２０】
図５は、第２実施例に係る熱風式保管庫４０の電気制御回路の一例を示すものであって、本願に関連する部分についてのみ説明する。図において、三相電源に、第１電磁接触器ＭＳ1の常開接点ＭＳ1−ａを介して前記送風機２４(モータ)が接続されると共に、第２電磁接触器ＭＳ2の常開接点ＭＳ2−ａおよびヒータ用のサーモスタット２８の接点ＴＨ1を介して前記ヒータ２６が接続されている。このヒータ用のサーモスタット２８の接点ＴＨ1は、手動復帰接点であって、前記感温部２８ａが予め設定された設定温度を検出したときに該接点ＴＨ1が開放してヒータ２６への通電を遮断し、手動により復帰(閉成)させない限り、開放状態を維持するよう構成される。
【００２１】
また三相電源に接続するスイッチングレギュレータＳＲとコントロールボードＣＢ1との間に、リレーＸ1,Ｘ2が並列の関係で接続されると共に、三相電源とスイッチングレギュレータＳＲとの間に、リレーＸ1の常開接点Ｘ1−ａ、前記送風機用のサーモスタット４２の接点ＴＨ2および第１電磁接触器ＭＳ1が直列に接続されている。更に、リレーＸ1の常開接点Ｘ1−ａには、リレーＸ2の常開接点Ｘ2−ａに直列接続される第２電磁接触器ＭＳ2が、送風機用のサーモスタット４２の接点ＴＨ2および第１電磁接触器ＭＳ1と並列の関係で接続されている。この送風機用のサーモスタット４２の接点ＴＨ2は、自動復帰接点であって、前記感温部４２ａが予め設定された設定温度を検出したときに該接点ＴＨ2が開放し、感温部４２ａで検出される温度が設定温度より低くなった際には接点ＴＨ2が自動的に閉成するよう構成される。なお、送風機用のサーモスタット４２の接点ＴＨ2が開放したときには、第１電磁接触器ＭＳ1が滅勢されることによりその常開接点ＭＳ1−ａが開放して、前記送風機２４への通電を遮断するよう設定される。また送風機用のサーモスタット４２の設定温度は、前記ヒータ用のサーモスタット２８の設定温度より低い温度に設定されている。
【００２２】
なお、前記リレーＸ1,Ｘ2は、運転スイッチをＯＮすることで励磁され、これと協働する常開接点Ｘ1−ａ,Ｘ2−ａが閉成して第１電磁接触器ＭＳ1および第２電磁接触器ＭＳ2を励磁して、その常開接点ＭＳ1−ａ,ＭＳ2−ａを閉成するよう設定される。そして、第１電磁接触器ＭＳ1および第２電磁接触器ＭＳ2の常開接点ＭＳ1−ａ,ＭＳ2−ａが閉成することで、前記送風機２４およびヒータ２６への通電がなされる。また、熱風式保管庫４０の通常運転中において送風機２４およびヒータ２６は、前記サーモスタット２８,４２とは別の収納部内に配設した温度検知用サーミスタＴＨ3,ＴＨ4(図５参照)が検出する温度に基づいて、第１電磁接触器ＭＳ1および第２電磁接触器ＭＳ2を介してＯＮ−ＯＦＦ制御されて、庫内温度(収納部内温度)を一定に保持するよう構成されている。
【００２３】
【第２実施例の作用】
前述のように構成した第２実施例に係る熱風式保管庫４０によれば、該保管庫４０の運転スイッチをＯＮすると、前記リレーＸ1,Ｘ2が励磁されて、これと協働する常開接点Ｘ1−ａ,Ｘ2−ａが閉成し、第１電磁接触器ＭＳ1および第２電磁接触器ＭＳ2の励磁により対応する常開接点ＭＳ1−ａ,ＭＳ2−ａが夫々閉成する。このとき、ヒータ用のサーモスタット２８の感温部２８ａおよび送風機用のサーモスタット４２の感温部４２ａは、何れも設定温度より低い温度を検出しており、何れの接点ＴＨ1,ＴＨ2も閉成している。従って、前記第１電磁接触器ＭＳ1および第２電磁接触器ＭＳ2の常開接点ＭＳ1−ａ,ＭＳ2−ａを介して送風機２４およびヒータ２６への通電がなされ、第１実施例の場合と同様に収納部内に熱風が強制循環して、収納されている食器が加熱される。
【００２４】
前記熱風式保管庫４０では、収納部内に配設した前記温度検知用サーミスタＴＨ3,ＴＨ4が検出する温度に基づいて、第１電磁接触器ＭＳ1および第２電磁接触器ＭＳ2を介して送風機２４およびヒータ２６がＯＮ−ＯＦＦ制御されて、庫内温度は一定に保持される。
【００２５】
ここで、何らかの原因によって前記送風機２４が停止すると、ヒータ２６が空焚状態となる。この場合には、第１実施例の場合と同様に、前記ヒータ２６に接触する伝熱板３２および該伝熱板３２に接触するサーモ取付具３４を介してヒータ用のサーモスタット２８の感温部２８ａにヒータ２６の熱が伝えられる。そして、ヒータ用のサーモスタット２８の感温部２８ａが、予め設定されている設定温度を検出すると、その接点ＴＨ1を開放してヒータ２６への通電を遮断して過昇を防止する。すなわち、送風機２４が停止する状態は異常時であるので、その原因を解消して作業者が手動でヒータ用のサーモスタット２８の接点ＴＨ1を作動(閉成)させない限り、運転が再開されることはない。
【００２６】
ここで、前記第１実施例のようにヒータ用のサーモスタット２８のみを配設した構成では、例えばコントロールボックスＣＢ1や温度検知用サーミスタＴＨ3,ＴＨ4等の庫内温度の制御系の異常により、前記送風機２４およびヒータ２６が連続通電される異常事態が発生した場合、ヒータ用のサーモスタット２８が設定温度を検出してヒータ２６への通電を遮断するまで熱風の強制循環が継続され、庫内温度はサーモスタット２８の設定温度まで上昇するおそれがある。しかるに、第２実施例のように前記側部空間１４ｂに送風機用のサーモスタット４２を配設した構成では、送風機２４およびヒータ２６が連続通電される異常事態が発生した場合、ヒータ用のサーモスタット２８の設定温度より低い設定温度を送風機用のサーモスタット４２の感温部４２ａが検出した時点で、その接点ＴＨ2が開放することで第１電磁接触器ＭＳ1の常開接点ＭＳ1−ａが開放し、送風機２４への通電が遮断されて該送風機２４は停止する。従って、以後は前記収納部１６への熱風の強制循環はなくなり、庫内温度が送風機用のサーモスタット４２の設定温度より上昇することはない。そして、送風機２４の停止により、ヒータ２６が空焚状態になると、前述したようにヒータ用のサーモスタット２８が設定温度を検出してヒータ２６への通電を遮断する。すなわち、送風機２４およびヒータ２６が連続通電される異常事態の発生に際して、庫内がヒータ用のサーモスタット２８の設定温度よりも高くなる事態を未然に防ぐことができ、収納部１６に収納した食器の劣化を防止し得る。
【００２７】
前記熱風式保管庫４０の通常運転中に運転スイッチをＯＦＦした場合、前記送風機２４が停止することでヒータ２６の表面温度は一時的に上昇し、前記送風機用のサーモスタット４２の感温部４２ａが設定温度を検出すると、その接点ＴＨ2を開放する。この送風機用のサーモスタット４２の接点ＴＨ2は自動復帰接点であるから、ヒータ２６への通電が遮断されて前記側部空間１４ｂ内の温度が送風機用のサーモスタット４２の設定温度より低下すると、その接点ＴＨ2は閉成状態に自動復帰し、通常運転を再開可能な状態となる。
【００２８】
すなわち、例えば送風機用のサーモスタット４２の接点ＴＨ2を手動復帰接点とした場合は、一度接点ＴＨ2を開放した後は、作業者が手動で接点ＴＨ2を閉成しなければ、通常運転を再開させれないが、第２実施例では送風機用のサーモスタット４２の接点ＴＨ2を自動復帰接点としたので、通常運転を直ぐに再開し得る。
【００２９】
なお、前記伝熱板２８に関して、放熱部２８ａに複数の溝や突起を形成することで、放熱効果を向上させる構成を採用可能である。
【００３０】
【発明の効果】
以上説明した如く、本発明に係る熱風式保管庫では、ヒータを通電制御する制御手段の感温部を、放熱部が形成された伝熱板に配設したので、保管庫の通常運転中には制御手段が作動してヒータへの通電を遮断することなく、ヒータの空焚時の該ヒータの表面温度の過度な上昇を防止することができる。すなわち、設定温度の低い制御手段を用いることができ、コストを低廉に抑えることが可能となる。また取付具の保持部で感温部を覆うことで、ヒータの熱を感温部に効率的に伝えることができ、ヒータの空焚時には早期にヒータへの通電を遮断して過度の温度上昇を抑えることができる。
【００３１】
ヒータ用の制御手段とは別に、送風機用の制御手段をヒータから離間した位置に配設する構成により、送風機が停止する異常事態が発生した場合や、庫内温度の制御系の異常により送風機やヒータが連続通電状態となる異常事態が発生した場合の何れにおいても、ヒータへの通電を遮断して過度の温度上昇を抑えることができる。また、ヒータ用の制御手段の接点を手動復帰接点としたので、異常事態の発生により該手動復帰接点が作動してヒータへの通電を遮断した際には、作業者が該手動復帰接点を元に戻さない限り運転は再開されず、ヒータ用の制御手段の設定温度でヒータが通電制御されることで庫内温度が高く保持される事態を回避し得る。更に、送風機用の制御手段の接点を自動復帰接点としたので、通常運転中に運転スイッチをＯＦＦした際に、該自動復帰接点が作動して送風機への通電を遮断した場合であっても、該送風機用の制御手段の感温部が設定温度より低い温度を検出すれば自動復帰接点が元の状態に戻って通常運転を再開することができる。
【図面の簡単な説明】
【図１】  本発明の好適な第１実施例に係る熱風式保管庫におけるヒータ用のサーモスタットの配設部位を示す概略図である。
【図２】  第１実施例に係る熱風式保管庫の概略構成図である。
【図３】  第１実施例に係る熱風式保管庫におけるヒータ用のサーモスタットの配設部位を示す概略図である。
【図４】  本発明の好適な第２実施例に係る熱風式保管庫の概略構成図である。
【図５】  第２実施例に係る熱風式保管庫の電気制御回路図である。
【符号の説明】
１２ 断熱箱体(箱体)，２４ 送風機，２６ ヒータ
２８ ヒータ用のサーモスタット(ヒータ用の制御手段)，２８ａ 感温部
３２ 伝熱板，３２ａ 放熱部，３４ サーモ取付具(取付具)，３４ａ 保持部
４２ 送風機用のサーモスタット(送風機用の制御手段)，４２ａ 感温部
ＴＨ1 ヒータ用のサーモスタットの接点(手動復帰接点)
ＴＨ2 送風機用のサーモスタットの接点(自動復帰接点)
【図１】
0003636013.tif 000002
【図２】
0003636013.tif 000003
【図３】
0003636013.tif 000004
【図４】
0003636013.tif 000005
【図５】
0003636013.tif 000006